(57)【要約】【課題】  汎用品の人感センサとレンズとを用いて、ある所定の範囲の検知を行うことができ、かつ所望する複数の範囲を検知することができる人感センサを搭載した空気調和機の室内機および空気調和機を提供することを目的とする。【課題を解決するための手段】  室内に向かってそれぞれが異なる方向に空気を吹き出す複数の吹出口と、室内の人を検知する人検知手段と、を備えた空気調和機の室内機において、前記人検知手段は、前記複数の吹出口に対応して設けられる複数の人感センサと、該人感センサ毎に設けられるレンズと、を備え、前記複数の人感センサは、それぞれが異なる前記複数の吹出口に対応する範囲を検知する。【選択図】  図８
2015137792.tif 000002
【特許請求の範囲】
【請求項１】
室内に向かってそれぞれが異なる方向に空気を吹き出す複数の吹出口と、室内の人を検知する人検知手段と、を備えた空気調和機の室内機において、
前記人検知手段は、前記複数の吹出口に対応して設けられる複数の人感センサと、該人感センサ毎に設けられるレンズと、を備え、
前記複数の人感センサは、それぞれが異なる前記複数の吹出口に対応する範囲を検知することを特徴とする空気調和機の室内機。
【請求項２】
請求項１に記載の空気調和機の室内機において、
前記人検知手段は、前記人感センサに入射する光を一部の範囲で遮る遮光カバーを備えることを特徴とする空気調和機の室内機。
【請求項３】
請求項１に記載の空気調和機の室内機において、
前記人検知手段は、前記人感センサに入射する光のうち、前記人感センサに対応する前記吹出口の空調範囲外から入射する光を遮る遮光カバーを備えることを特徴とする空気調和機の室内機。
【請求項４】
請求項１に記載の空気調和機の室内機において、
前記複数の人感センサの一つの人感センサの検知範囲と、前記他の人感センサに対応する前記吹出口の空調範囲とが重なる範囲を遮光する遮光カバーを備えることを特徴とする空気調和機の室内機。
【請求項５】
請求項１に記載の空気調和機の室内機において、
前記人検知手段は前記人感センサに入射する光を遮る遮光カバー備え、該遮光カバーは前記複数の人感センサそれぞれに対応する位置に開口部を有することを特徴とする空気調和機の室内機。
【請求項６】
請求項２に記載の空気調和機の室内機において、
前記人検知手段は、前記複数の人感センサと、前記レンズと、前記遮光カバーと、を覆い、赤外線を透過する材料で形成された赤外線透過カバーを備えることを特徴とする空気調和機の室内機。
【請求項７】
請求項１に記載の空気調和機の室内機において、
室内機本体となる筐体の室内への露出部に設けられる化粧パネルと、該化粧パネルの角部に設けられる複数のコーナー部カバーと、該コーナー部カバーが取り付けられる複数の取付部と、を備え、
前記人検知手段は、前記複数のコーナー部カバーの何れかに設けられ、
前記複数のコーナー部カバーは、前記複数の取付部の何れにも取り付け可能であることを特徴とする空気調和機の室内機。
【請求項８】
請求項７に記載の空気調和機の室内機おいて、
前記複数の人感センサと前記複数の吹出口との配置関係を対応させる制御を行う制御部を備えることを特徴とする空気調和機の室内機。
【請求項９】
請求項１から請求項８までのいずれか一つに記載の空気調和機の室内機を備えることを特徴とする空気調和機。
【発明の詳細な説明】
【技術分野】
【０００１】
本発明は、空気調和機の室内機および空気調和機に関する。
【背景技術】
【０００２】
本技術分野の背景技術として、特開２０１１−１７４６９３公報（特許文献１）がある。この公報には、「ケーシングに複数の吹出口と空調室における情報を検知するセンサとが設けられた空気調和装置の天井設置型室内ユニットにおいて、効果的に各吹出エリアにおける情報を検知できるようにするために、空気調和装置１の天井設置型室内ユニット４は、空調室の天井に設けられるものであって、ケーシング５１と、複数の人検知センサ６２ａ〜６２ｄとを有している。ケーシング５１は、空調空気を空調室内に吹き出す複数の吹出口５６ａ〜５６ｄを有している。人検知センサ６２ａ〜６２ｄは、各吹出口５６ａ〜５６ｄに対応するようにケーシング５１に設けられ、空調室における人の存在の有無を検知する。そして、各人検知センサ６２ａ〜６２ｄの検知エリアＡ、Ｂ、Ｃ、Ｄは、各吹出口５６ａ〜５６ｄから吹き出される空調空気の気流が到達する吹出エリアＡ’、Ｂ’、Ｃ’、Ｄ’に合わせられている。」と記載されている（要約参照）。
【先行技術文献】
【特許文献】
【０００３】
【特許文献１】特開２０１１−１７４６９３公報
【発明の概要】
【発明が解決しようとする課題】
【０００４】
特許文献１の方法では、各吹出口から吹き出される空調空気の気流が到達する吹出エリアに合わせた各人感センサの検知エリアを得るために、専用の人感センサもしくは人感センサ用レンズを使用する必要がある。つまり、複数の人感センサを使用する場合、専用の人感センサもしくは複数の人感センサを覆う専用の人感センサ用レンズが用いられることでコストアップにつながり、また、別の吹出エリアを持つ他の空気調和システムに適用することができない。例えば、吹出しエリアを４箇所持つ空気調和システム専用の人感センサもしくは人感センサ用レンズを、吹出しエリアを２箇所持つ空気調和システムに適用することはできない。
【０００５】
そこで、本発明では単一の範囲を見る汎用的な人感センサと人感センサ用レンズとを用いて、ある所定の範囲の検知を行うことができ、かつ所望する複数の範囲を検知することができる人感センサを搭載した空気調和機の室内機および空気調和機を提供することを目的とする。
【課題を解決するための手段】
【０００６】
上記課題を解決するために、例えば特許請求の範囲に記載の構成を採用する。本願は上記課題を解決する手段を複数含んでいるが、その一例を挙げるならば、室内に向かってそれぞれが異なる方向に空気を吹き出す複数の吹出口と、室内の人を検知する人検知手段と、を備えた空気調和機の室内機において、前記人検知手段は、前記複数の吹出口に対応して設けられる複数の人感センサと、該人感センサ毎に設けられるレンズと、を備え、前記複数の人感センサは、それぞれが異なる前記複数の吹出口に対応する範囲を検知することを特徴とする。
【発明の効果】
【０００７】
本発明によれば、複数の人感センサと、人感センサをそれぞれ覆うレンズを備えることで、各人感センサとレンズは単一の範囲を見る汎用的な人感センサとレンズを使い、かつ所望する複数の範囲の検知を行う空気調和機の室内機および空気調和機を提供することができる。上記した以外の課題、構成及び効果は、以下の実施形態の説明により明らかにされる。
【図面の簡単な説明】
【０００８】
【図１】本発明の実施例に係る空気調和機の全体図である。
【図２】本発明の実施例に係る室内機の斜視図である。
【図３】本発明の実施例に係る室内機の人感センサ部の赤外線透過カバーと赤外線遮光カバーと人感センサのレンズを外した状態の正面図である。
【図４】本発明の実施例に係る室内機の人感センサ部の赤外線透過カバーと赤外線遮光カバーを外した状態の正面図である。
【図５】本発明の実施例に係る室内機の人感センサ部の赤外線透過カバーを外した状態の正面図である。
【図６】本発明の実施例に係る室内機の人感センサ部の正面図である。
【図７】本発明の実施例に係る室内機の人感センサ部の断面図である。
【図８】本発明の実施例に係る室内機の人感センサの検知範囲の模式図である。
【図９】本発明の実施例に係る室内機の化粧パネル部のコーナー部カバーを外した状態の正面図である。
【図１０】本発明の実施例に係る室内機の化粧パネル部のコーナー部カバーを外した状態の正面図の拡大図である。
【図１１】本発明の実施例に係るリモコンの表示を示す図である。
【図１２】本発明の実施例に係る室内機の制御のブロック図である。
【発明を実施するための形態】
【０００９】
以下、本発明の空気調和機に係る実施例について図１〜図１２を用いて説明する。
【実施例１】
【００１０】
図１は、本発明の実施例に係る空気調和機の全体構成について示す。図１において、天井埋込型の室内機１と室外機２が冷媒配管及び伝送線３によって接続されており、室内機１は設置された室内の空調を行う。室内機１はリモコン４とリモコン伝送線５によって接続され、利用者がリモコン４を操作することで室内機１の動作指令が行われる。室外機２は、図示しないが熱源となる圧縮機、室外空気と作動流体とを熱交換させる室外熱交換器、室外熱交換器に送風を行う室外ファンを備える。
【００１１】
図２は、室内機１を下から見た斜視図である。室内機１は、本体部１０と本体部１０の室内側に面する下方部を覆う化粧パネル部１１を備える。本体部１０は、天井内に埋め込まれ、化粧パネル部１１が室内の天井面に露出して構成される。また、図示していないが室内機１はその内部に室内ファンと熱交換器を持つ。室内ファンは室内機１の吸込み口２２から室内空気を吸い込み、吸い込んだ空気が熱交換器を通過することで空気と冷媒との熱交換が行われ、４方の吹出し口２０ａ〜２０ｄから空調された空気が吹き出して室内を空調する。ルーバ２１ａ〜２１ｄは、吹出し口２０ａ〜２０ｄから吹出す空気の吹出方向を室内の高さ方向にそれぞれ可変する。
【００１２】
空調の際には、空調空間の人の在、もしくは不在や、人がどの程度動作しているかという人検知情報を得るために、人感センサ３５が化粧パネル部１１に設置されている。人感センサ３５は、赤外線センサを採用する場合には人が動作する等で検知範囲内の赤外線が変化した際に検知する。室内制御部１３（図示せず）は、これらの人検知情報によって空調運転の設定温度、室内機の風量、ルーバ２１ａ〜２１ｄの角度を変化させる。これにより、空調空間の冷やしすぎや、暖めすぎを防止し、空調空間の人の快適性を高める。
【００１３】
また、人感センサ３５は、空調空間の人検知情報を空調空間内で分割して得るため、１台の室内機１に複数個設けられる場合もある。このとき、複数個の人感センサの検知範囲は、吹出し口２０ａ〜２０ｄそれぞれの吹出し口に対応する空調範囲２６ａ〜２６ｄ（図８参照）に対応するよう設けられることが望ましい。この対応により、例えば、空調範囲２６ａの人検知情報にたいしてルーバ２１ａを動作させ、空調範囲２６ｂの人検知情報にたいしてルーバ２１ｂを動作させることで、それぞれの空調範囲２６ａ〜２６ｄに対し、個別に空調することが可能となる。
【００１４】
ところで、空調範囲２６ａ〜２６ｄのそれぞれは、断面が扇型の錐形状をしている。他方、汎用的な人感センサと人感センサのレンズの検知範囲は、断面が円の錐形状をしている。そのため、汎用的な人感センサと人感センサのレンズは、空調範囲２６ａ〜２６ｄに対応して使用できない。つまり、空調範囲２６ａ〜２６ｄ外であるにも関わらず人を検知してルーバ２１を制御してしまう問題が生じる。また、汎用品の人感センサとレンズの組合せでは、上述のとおり検知範囲が円の錐形状であるため、重複する部分が生じてしまうことにより、複数の人感センサで重複して人を検知する虞もある。したがって、空調範囲２６ａ〜２６ｄに対しては、専用の人感センサもしくは専用の人感センサのレンズを使用する必要があったが、以下、本実施例においてはこれらの課題を解決する空気調和機の構成について説明する。
【００１５】
まず、図３〜図７を用いて本発明の実施例に係る人感センサ部の構造について説明する。図３〜図６は、室内機１における人感センサ３５が取り付けられる位置の拡大図である。
【００１６】
図３に示すように、人感センサ３５は、人感センサ取付部に所定の角度を設けた人感センサの台座３３の上に設置する。本実施例では４つの人感センサ３５ａ〜３５ｄを設置している。
【００１７】
次に図４に示すように、人感センサ３５ａ〜３５ｄそれぞれに入射してくる赤外線を所定の屈折率で屈折させることで検知範囲を拡げる（もしくは狭める）レンズ３６ａ〜３６ｄを取り付ける。これにより、各人感センサ３５ａ〜３５ｄが所定の範囲で検知を可能となる。
【００１８】
図５に示すように、レンズ３６ａ〜３６ｄの上方には、人感センサ３５に入射する光を一部の範囲で遮る赤外線遮光カバー３２を設ける。この赤外線遮光カバー３２は、人感センサ３５に入射する光のうち、その人感センサ３５に対応する吹出し口２０の空調範囲２６（吹出し方向）外から入射する光を遮るように構成される。
【００１９】
赤外線遮光カバー３２は、ポリスチレンや鉄などの赤外線を透過しない材質で形成される。また、赤外線遮光カバー３２は、人感センサ３５それぞれに対応する位置に開口部５３ａ〜５３ｄを有する。したがって、赤外線遮光カバー３２の開口部５３ａ〜５３ｄを通過した赤外線だけが人感センサ３５ａ〜３５ｄに入射することになる。
【００２０】
図６に示すように、レンズ３６ａ〜３６ｄの上方には、人感センサ部の保護及び意匠性を考慮した赤外線透過カバー３１を設ける。この赤外線透過カバー３１は、人感センサ３５が検知する赤外線を遮らないように高密度ポリエチレン等の赤外線を透過する材質で形成される。
【００２１】
図７は人感センサ部の断面図を示すが、上述のとおり内部から順に人感センサの台座３３、人感センサ３５、レンズ３６、赤外線遮光カバー３２、赤外線透過カバー３１が配置される。
【００２２】
次に、図８を用いて人感センサ３５の検知範囲５０ａ〜５０ｄおよび赤外線遮光カバー３２の遮光範囲について説明する。
【００２３】
空調範囲２６ａ〜２６ｄは、ルーバ２１ａ〜２１ｄにより吹出し口２０からの送風が達する範囲を示す。そして、検知範囲５０ａ〜５０ｄは、レンズ３６ａ〜３６ｄが設けられた各人感センサ３５ａ〜３５ｄが人を検知できる範囲を示す。すなわち、人が移動する等で範囲内の赤外線が変化したときに、その変化を人感センサ３５ａ〜３５ｄと人感センサのレンズ３６ａ〜３６ｄが検知することができる範囲のことである。検知範囲５０ａ〜５０ｄは、それぞれ同一でも異なっていてもよい。
【００２４】
人感センサ３５ａ〜３５ｄと人感センサのレンズ３６ａ〜３６ｄの検知範囲５０ａ〜５０ｄ内でかつ赤外線遮光カバー３２で覆われている遮光範囲５１は、赤外線が変化しても、人感センサ３５ａ〜３５ｄは検知させず、人感センサ３５ａ〜３５ｄと人感センサのレンズ３６ａ〜３６ｄの検知範囲５０ａ〜５０ｄ内でかつ赤外線透過カバー３１で覆われている非遮光範囲５２は、赤外線が変化した場合、人感センサ３５ａ〜３５ｄは検知する。
【００２５】
ここで、汎用品の人感センサを用いる場合、図８のように検知範囲５０ａ〜５０ｄはそれぞれ円の錐形状に拡がり空調範囲２６ａ〜２６ｄ外までに及んでいる。そこで、赤外線遮光カバー３２は、各人感センサの検知範囲５０ａ〜５０ｄが、各空調範囲２６ａ〜２６ｄに対応した範囲内に収まるように開口部５３を形成する。つまり、空調範囲２６ａ〜２６ｄ外の人感センサの検知範囲５０ａ〜５０ｄを遮光する。図８に示すとおり検知範囲５０ｃにおいて、空調範囲２６外となる範囲と、さらに空調範囲２６内であっても一つの人感センサの検知範囲５０ｃと他の人感センサ３５ｂ，３５ｄに対応する吹出し口２０ｂ，２０ｄの空調範囲２６ｂ，２６ｄとが重なる範囲と、を赤外線遮光カバー３２により遮光することで、検知範囲５０ｃにおける非遮光範囲５２ｃを空調範囲２６ｃに対応させる。
【００２６】
これらの構成により、各人感センサの検知範囲５０ａ〜５０ｄと、対応する空調範囲２６ａ〜２６ｄとを略同一の範囲とすることができる。したがって、空調範囲と異なる検知範囲を有する汎用品の人感センサ及び人感センサ用レンズを用いたとしても、各人感センサ３５ａ〜３５ｄは、対応する各空調範囲２６ａ〜２６ｄ内で人を検知することができる。
【００２７】
以上のように、本実施例では人感センサ３５毎にレンズ３６を設けてそれぞれが異なる吹出し口２０に対応する範囲を検知するようにし、さらには、赤外線遮光カバー３２により空調範囲２６外の人感センサ３５の検知範囲５０を遮光することで、汎用品を用いて所望の検知範囲を得ることができる。
【実施例２】
【００２８】
本実施例では、空調範囲２６ａ〜２６ｄにあわせた検知範囲を持った人感センサ付きのコーナー部カバー３０の取付部を変更することができる場合を説明する。
【００２９】
図１は本実施例の構成の全体を示した図である。実施例１と同様の点については説明を省略する。空調空間の人検知情報６２ａ〜６２ｄを分割して得る場合では、人感センサ３５ａ〜３５ｄは、それぞれの人検知情報６２ａ〜６２ｄを室内制御部１３に送信し、室内制御部はそれぞれの人検知情報６２ａ〜６２ｄに対応したルーバ６３ａ〜６３ｄを動作させる。このとき、吹出し口のルーバ２１ａと、吹出口２０ａに対応する空調範囲２６ａと、人感センサ３５ａは同一の方向を向いており、人感センサ３５ａの人検知情報６２ａに対し、吹出し口のルーバ２１ａが動作する。以下同様に、人感センサ３５ｂに対し吹出し口のルーバ２１ｂが、人感センサ３５ｃに対し吹出し口のルーバ２１ｃが、人感センサ３５ｄに対し吹出し口のルーバ２１ｄが、それぞれ動作する。
【００３０】
この場合、人感センサ付きのコーナー部カバー３０は、初期のコーナー部カバー取付部から変更することができない。なぜならば、仮に初期のコーナー部カバー取付部が２４ａの場合に２４ｂに取り付けた場合、人感センサ３５ａの人検知情報６２ａに対し、吹出し口のルーバ２１ｂが動作してしまい、人感センサとルーバの対応関係が９０度異なってしまうためである。この場合、現地施工の際に、人感センサ付きのコーナー部カバー３０の位置を変更することができない。一方、同一空間内に複数の室内機１を設置する場合では、意匠面の統一のためにコーナー部カバー３０の位置の変更が必要な場合がある。
【００３１】
本実施例では、図９に示すように人感センサ付きのコーナー部カバー３０はコーナー部カバー取付部２４ａ〜２４ｄの何れにも取付が可能な構造としており、他のコーナー部カバー２３も何れの取付部２４ａ〜２４ｄにも取り付け可能である。人感センサ付きのコーナー部カバー３０とコーナー部カバー２３は略同一形状であり、取付部２４ａ〜２４ｄに対応した取付部を有する。
【００３２】
また、リモコン４にはリモコンの設定項目６０があり、設定項目６０に対し、リモコンの設定項目の選択肢６１が設けられている。図１１の例では、設定項目６０としてｂ１が選択され、その選択肢６１は００の場合を示す。また、選択肢６１は００の他に、０１、０２、０３を持っている。ここで、設定項目６０のｂ１は、他の記号でもよいし、「センサー取付位置」等の名称を入れてもよい。
【００３３】
また、選択肢６１についても同様に、Ａ〜Ｄなどの記号でもよい。ここでは、選択項目６０と選択肢６１を持つことのみが必要である。また、選択肢６１は、現地施工の際に変更が可能である。
【００３４】
ここで、選択肢６１が００のとき、室内制御部は、人感センサの人検知情報６２ａをルーバ２１ａの動作に使用し、人感センサの人検知情報６２ｂをルーバ２１ｂに、人感センサの人検知情報６２ｃをルーバ２１ｃに、人感センサの人検知情報６２ｄをルーバ２１ｄに使用する。
【００３５】
選択肢６１が０１のとき、室内制御部は、人感センサの人検知情報６２ａをルーバ２１ｂの動作に使用し、人感センサの人検知情報６２ｂをルーバ２１ｃに、人感センサの人検知情報６２ｃをルーバ２１ｄに、人感センサの人検知情報６２ｄをルーバ２１ａに使用する。
【００３６】
選択肢６１が０２のとき、室内制御部は、人感センサの人検知情報６２ａをルーバ２１ｃの動作に使用し、人感センサの人検知情報６２ｂをルーバ２１ｄに、人感センサの人検知情報６２ｃをルーバ２１ａに、人感センサの人検知情報６２ｄをルーバ２１ｂに使用する。
【００３７】
選択肢６１が０３のとき、室内制御部は、人感センサの人検知情報６２ａをルーバ２１ｄの動作に使用し、人感センサの人検知情報６２ｂをルーバ２１ａに、人感センサの人検知情報６２ｃをルーバ２１ｂに、人感センサの人検知情報６２ｄをルーバ２１ｃに使用する。
【００３８】
本実施例の構成では、人感センサ付きのコーナー部カバー３０をコーナー部カバー取付部２４ａに取り付けた場合は選択肢６１を００に設定すれば動作可能である。また、以下同様に、コーナー部カバー取付部２４ｂに取り付けた場合は選択肢６１を０１に、コーナー部カバー取付部２４ｃに取り付けた場合は選択肢６１を０２に、コーナー部カバー取付部２４ｂに取り付けた場合は選択肢６１を０３に、設定すれば動作可能である。
【００３９】
以上の通り、本実施例では、人感センサの配置とルーバとの配置関係が９０°ごとにずれた設定を備えておくことで、人感センサ付きの人感センサ付きのコーナー部カバー３０は初期のコーナーカバー取付部から変更することが可能となる。このように複数の人感センサ３５と複数の吹出し口２０との配置関係を対応させる制御を行う室内制御部１３を有することにより、同一空間内に複数の室内機１を設置する場合では、意匠面の統一のために現地施工の際にコーナー部カバー３０の位置を変更できる。
【００４０】
また、化粧パネル１１のコーナー部カバー取付部２４ａ〜２４ｄにそれぞれＡ〜Ｄなどの目印２５を設け、リモコン４の設定項目の選択肢６１を同じくＡ〜Ｄとすることもできる。このとき、Ａの目印のコーナー部カバー取付部２４ａ〜２４ｄに人感センサ付きのコーナー部カバー３０を取り付けた場合は設定項目の選択肢６１はＡを選択するようにすれば、より簡便に現地施工することが可能である。
【００４１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４２】
１  室内機
２  室外機
３  冷媒配管及び伝送線
４  リモコン
５  リモコン伝送線
１０  室内機の本体部
１１  化粧パネル部
１２  リモコンの表示
１３  室内制御部
２０  ２０ａ  ２０ｂ  ２０ｃ  ２０ｄ  吹出し口
２１  ２１ａ  ２１ｂ  ２１ｃ  ２１ｄ  ルーバ
２２  吸込み口
２３  コーナー部カバー
２４  ２４ａ  ２４ｂ  ２４ｃ  ２４ｄ  コーナー部カバー取付部
２５  コーナー部カバーの目印
２６  ２６ａ  ２６ｂ  ２６ｃ  ２６ｄ  空調範囲
３０  人感センサ付きのコーナー部カバー
３１  赤外線透過カバー
３２  赤外線遮光カバー
３３  人感センサの台座
３５  ３５ａ  ３５ｂ  ３５ｃ  ３５ｄ  人感センサ
３６  ３６ａ  ３６ｂ  ３６ｃ  ３６ｄ  レンズ
５０  ５０ａ  ５０ｂ  ５０ｃ  ５０ｄ  検知範囲
５１  ５１ａ  ５１ｂ  ５１ｃ  ５１ｄ  遮光範囲
５２  ５２ａ  ５２ｂ  ５２ｃ  ５２ｄ  非遮光範囲
５３  ５３ａ  ５３ｂ  ５３ｃ  ５３ｄ  開口部
６０  リモコンの設定項目
６１  リモコンの設定項目の選択肢
６２  ６２ａ  ６２ｂ  ６２ｃ  ６２ｄ  人感センサの人検知情報
６３  ６３ａ  ６３ｂ  ６３ｃ  ６３ｄ  ルーバの動作出力
【図１】
2015137792.tif 000003
【図２】
2015137792.tif 000004
【図３】
2015137792.tif 000005
【図４】
2015137792.tif 000006
【図５】
2015137792.tif 000007
【図６】
2015137792.tif 000008
【図７】
2015137792.tif 000009
【図８】
2015137792.tif 000010
【図９】
2015137792.tif 000011
【図１０】
2015137792.tif 000012
【図１１】
2015137792.tif 000013
【図１２】
2015137792.tif 000014